(57)【要約】      （修正有）【課題】高齢者や視覚障害者であっても直感的に電話をかけることができる電話機を提供する。【解決手段】電話機１０は、夫々異なる重量を持った複数のおもりＡ、Ｂ、Ｃと、おもりの各々を載置できる荷重台１３Ｗを備え、この荷重台１３Ｗに載せられたおもりの重量を計測する計測手段と、計測手段によって計測された重量に応じて異なる電話番号への発信を行う発信手段を備えている。特に、おもりは、夫々異なる形状を有しており、あるいは夫々異なる色に塗り分けられており、容易に区別可能となっている。【選択図】図１
2016219924.tif 000002
【特許請求の範囲】
【請求項１】
夫々異なる重量を持った複数のおもりと、前記おもりの各々を載置できる荷重台を備え、この荷重台に載せられたおもりの重量を計測する計測手段と、前記計測手段によって計測された重量に応じて異なる電話番号への発信を行う発信手段を備えたことを特徴とする電話機。
【請求項２】
前記おもりは、夫々異なる形状を有していることを特徴とする請求項１に記載の電話機。
【請求項３】
前記おもりは、夫々異なる色に塗り分けられていることを特徴とする請求項２に記載の電話機。
【請求項４】
前記発信手段は、電話番号を入力するための操作手段を備えており、この操作手段を操作することで任意の電話番号への発信も可能となっていることを特徴とする請求項３に記載の電話機。
【請求項５】
前記計測手段は、計測した重量を表示する表示手段を備えており、前記おもり以外の物の重量も計測可能となっていることを特徴とする請求項３に記載の電話機。
【発明の詳細な説明】
【技術分野】
【０００１】
本発明は、電話機、特にユニバーサルデザインに対応した電話機に関する。
【背景技術】
【０００２】
年齢や障がいの有無などにかかわらず、多くの人が利用可能であるような設計を示す用語として、ユニバーサルデザインという言葉が用いられることがある。例えば、日常的に用いられる家電機器でも、高齢者の利用に配慮したものは、ユニバーサルデザインの商品と言える。特に高齢化が進む今後の社会においては、多くの施設・製品・サービスに、このようなユニバーサルデザインの需要が高まるものと考えられる。
【先行技術文献】
【特許文献】
【０００３】
【特許文献１】特開平１１−１６４００１
【発明の概要】
【発明が解決しようとする課題】
【０００４】
日常的に必要される家電機器の中でも、電話機というものは必要不可欠であり、例えば緊急事態などの際には誰でも確実に利用できるということが重要となる。ユニバーサルデザインに対応した電話機も幾つか存在する。しかし、従来のユニバーサルデザイン電話機というものは、ボタンを大きくて深さのあるものにしたり、視認性を高めたり、操作のしやすい配置としたり、といった形状や構造上の改良にとどまっていた。その為、視覚障害といった自由度が大きく制限されたユーザーの場合には、依然として利用が困難であった。
【０００５】
特許文献１に記載された電話機のように、機能的な面からユニバーサルデザインに対応させたものも存在する。この電話機では、バーコードを用いることにより、幼い子供及び老人等や視覚障害者であっても、容易に電話をかけることができるとされている。しかしながら、バーコードというものは直感的な理解が難しく、その普及には至らなかった。
【０００６】
本発明の目的は、高齢者や視覚障害者であっても、直感的に確実に電話をかけることができる電話機を提供することである。
【課題を解決するための手段】
【０００７】
上記課題を解決するために、夫々異なる重量を持った複数のおもりと、前記おもりの各々を載置できる荷重台を備え、この荷重台に載せられたおもりの重量を計測する計測手段と、前記計測手段によって計測された重量に応じて異なる電話番号への発信を行う発信手段を備えたことを特徴とする。
【０００８】
また、好ましい実施例では、前記おもりは、夫々異なる形状を有していることを特徴とする。
【０００９】
更に、好ましい実施例では、前記おもりは、夫々異なる色に塗り分けられていることを特徴とする。
【００１０】
更に、好ましい実施例では、前記計測手段は、計測した重量を表示する表示手段を備えており、前記おもり以外の物の重量も計測可能となっていることを特徴とする。
【００１１】
更に、好ましい実施例では、前記計測手段は、計測した重量を表示する表示手段を備えており、前記おもり以外の物の重量も計測可能となっていることを特徴とする。
【発明の効果】
【００１２】
本発明に係わる電話機を用いれば、高齢者や視覚障害者といった通常の電話機では利用に困難を感じる利用者でも、誤発信をすることなく楽に電話をかけることができる。
【図面の簡単な説明】
【００１３】
【図１】図１は、本発明の実施例１に係わる電話機を示す斜視図である。
【図２】図２は、本発明の実施例２に係わる電話機を示す斜視図である。
【図３】図３は、本発明の実施例３に係わる電話機を示す斜視図である。
【図４】図４は、本発明の実施例３に係わる電話機の別の例を示す斜視図である。
【発明を実施するための形態】
【００１４】
以下、図を参照しながら本発明の電話機の具体例を説明する。
【実施例１】
【００１５】
図１は、本発明の実施例１による電話機を示す斜視図である。この電話機１０は、電話機本体１１と、電子台はかり部１３とからなる。電話機本体１１は直接電話回線Ｌに接続されており、一般的な電話機と同様に、電話番号を入力するためのテンキーなどの操作手段を備えており、単体で通常の電話機として利用できる。
【００１６】
電子台はかり部１３は、荷重台１３ｗとはかり部本体１３ｂとからなるロードセル式はかりであり、一般的な電子台はかりと同様の機能を持っている。しかし、この例では、測定された重量を表示する表示部は省略されている。測定結果は電気信号として、ケーブル１５を介して電話機本体１１へ送信される。電話機本体１１は、測定結果の示すおもりの重量に応じて、予め設定されている送信先へ発呼する。
【００１７】
以下、具体的な利用シナリオに沿って、本発明の電話機の機能の詳細を説明する。電話機本体１１では、よくかける相手の電話番号を短縮ダイヤルとして登録できる。これは一般的な電話機と同様であり、詳しい説明は省略する。ここでは、短縮ダイヤル「０」に長男の電話番号、短縮ダイヤル「１」に１１０番、短縮ダイヤル「２」に１１９番が登録されているものとする。
【００１８】
従来は、電話機本体１１のテンキーで短縮ダイヤルの数字を押せば、対応する電話番号へ発呼される。これに対して、本発明の電話機は、図に示したようなおもりＡ〜Ｃを用いることでも操作が可能となっている。おもりＡは正四面体、おもりＢは正六面体、おもりＣは正十二面体といった形状をしている。また、おもりＡは５０ｇ、おもりＢは１００ｇ、おもりＣは２００ｇと、形状だけでなく重さも異なっている。
【００１９】
従って、利用者がおもりＡ〜Ｃのいずれかを荷重台１３ｗへ載せると、そのおもりに応じた重量を示す信号が電話機本体１１へ送信される。電話機本体１１では、短縮ダイヤルの番号と重量が対応しており、５０ｇなら短縮ダイヤル「０」に対応する電話番号が発呼されるようになっている。同様に、載せたおもりの重量が１００ｇまたは２００ｇなら、短縮ダイヤル「1」または「2」に対応する電話番号が発呼される。相手が電話にでると、電話機本体１１から声が聞こえてくるので、受話器１７を取れば普通に会話を行うことができる。
【００２０】
このような構成により、利用者は、おもりの形状や重さで発信先を記憶すればよいことになる。また、電話をかけたい時には、対応するおもりを選んで荷重台１３ｗへ載せるだけで良い。例えば、長男に電話をかけたい時には、３つあるおもりから三角の軽いものを選んで、荷重台１３ｗへ載せる。そして、相手が出るのを待てば良い。
【実施例２】
【００２１】
以下、図２を参照して、本発明の実施例２による電話機２０を説明する。上記実施例１では、電話機本体１１は、電子台はかり部１３で計量したおもりの重量に応じた電話番号へ発呼する機能が実装されており、既存の電話機を利用することはできない。しかし、重量に応じた電話番号へ発呼する機能を電子台はかり部２３に実装し、既存の電話機をそのまま電話機本体２１として利用してもよい。
【００２２】
その場合、図２に示したように、電話回線Ｌは電子台はかり部２３に接続され、電話機本体２１は電子台はかり部２３を介して電話回線Ｌへ接続される。荷重台２３ｗへおもりを載せていない場合には、電話機本体２１と電話回線Ｌはつながっており、通常の電話機として使用できる。一方、おもりＡ〜Ｃを用いて、上記実施例１と同様に短縮ダイヤルでの発呼も可能となっている。
【００２３】
具体例には、利用者がおもりＡ〜Ｃのいずれかを荷重台２３ｗへ載せると、そのおもりの重量に応じて対応する電話番号が発呼される。上記実施例１とは異なり、電話機本体２１ではなく電子台はかり部２３が、電話回線Ｌを接続し、ダイアル許可トーンを確認し、電話番号に対応するダイアルトーンを発信する。以後は、利用者が受話器２７を上げたことを検出した時に、電話回線Ｌをそのまま電話機本体２１と接続する。
【００２４】
もし、発信前に利用者が受話器１７を上げたことを検出した場合には、電話回線Ｌと電話機本体２１とは接続せずに、電話回線Ｌへ送信するダイアルトーンなどを電話機本体２１へも送信し、ダイアルトーンの発信を終えてから電話機本体２１を電話回線Ｌに接続する。
【実施例３】
【００２５】
以下、図３を参照して、本発明の実施例３による電話機３０を説明する。上記実施例１、２では、固定電話から発信する場合を例に説明したが、本発明はスマートフォンや一般的な携帯電話といった携帯端末からの発信にも応用できる。すなわち、この電話機３０は、荷重台３３ｗと、この荷重台３３ｗとＵＳＢケーブルＵで接続されたスマートフォン３１とからなる。荷重台３３ｗには、ＵＳＢコントローラのチップが内蔵されており、スマートフォン３１は、以下の機能を備えたソフトウェアが実装されている。
【００２６】
利用者が電話をかけたいと思った場合には、上記実施例１、２と同様に発信先に対応するおもりＡ〜Ｃのいずれかを荷重台３３ｗに載せる。すると、荷重台３３ｗは、載せられたおもりの重量を示す重量信号を、ＵＳＢケーブルＵ経由でスマートフォン３１へ送信する。スマートフォンのソフトウェアは、重量信号に対応する発信先への発呼を行う。
【００２７】
この場合、荷重台３３ｗは、発呼の処理を行うのではなく単にスマートフォン３１へ重量信号を送信するだけで良い。発呼の処理はスマートフォン３１が行うため、スマートフォン３１側のソフトウェアの設定行うだけで、簡単におもりの数や、発信先と重量との対応関係を変更できる。
【００２８】
また、荷重台３３ｗへの電力供給は、おもりが載った時に開始し、その重量に比例するレベルの信号を出力するようにする。重量信号を出力したら、電力供給は終了するようにする。したがって、非常に少ない電力で十分であり、小さな乾電池でも長時間機能することができる。また、ＵＳＢケーブルＵを介してスマートフォンから電力の供給を利用すれば、自前の電源も不要となる。
【００２９】
上記例では、ＵＳＢケーブルＵを用いて荷重台３３ｗとスマートフォン３１を接続しているが、通信機能としてＵＳＢの代わりに無線通信機能を利用することもできる。無線通信機能としては、ｗｉｆｉ、ｂｌｕｅｔｏｏｔｈやその他のＮＦＣなどが利用できる。
すなわち、図４に示したように、荷重台４３ｗにｂｌｕｅｔｏｏｔｈ（登録商標）といった無線通信機能を実装させ、一方スマートフォン４１には荷重台４３ｗとｂｌｕｅｔｏｏｔｈで通信するソフトウェアを実装することで、ケーブル接続といった手続きを省略できる。この場合も、おもりが載った時に起動し重量信号を出力して、直ちに終了するようにして、電力消費を小さく抑えることができる。
【００３０】
以上、本発明に係る電話機を実施形態に基づいて説明したが、本発明はこれに限定されるものではなく、本発明の趣旨を逸脱しない範囲で、変更を加えてもよいし、各実施形態を組み合わせてもよい。
【００３１】
例えば、上記実施例では、検出された重量を表示する表示部は省略されているが、通常のはかりとしても併用できるように液晶表示装置などの表示部を設けても良い。また、この液晶表示装置に代わって、または追加として音声によって検出された重量を読み上げる装置を設けても良い。
【００３２】
また、上記例では、おもりとして多面体を用いているが、本発明はこれに限定されるものではない。例えば、重量が合っていれば（合わせれば）、ぬいぐるみ等、身近にあるものを適宜利用するようにしても良い。
更に、上記実施例では、おもりの形状の違いを発呼先の識別に利用しているが、本発明はこれに限定されるものではない。例えば、形状の違いに加えて、おもりＡは赤、おもりＢは緑、おもりＣは青といった具合に、異なる色に塗り分けることで識別しやすくしても良い。または、形状は同一（例えば、正六面体だけ）として、色の違いで発呼先を識別するようにしても良い。この場合、材質や大きさを変えることで、異なる重さとする。
【００３３】
更に、上記実施例では、電子台はかり部としてロードセル式はかりを用いているが、本発明はこれに限定されるものではない。例えば、バネばかりとポテンショメーターを組み合わせることでも、重量の測定結果を電話機本体へ送信できる。
【００３４】
更に、ＮＦＣリーダーを電子台はかりの代わりに用い、おもりＡ〜ＣにＮＦＣタグを貼り付けるようにしても良い。このＮＦＣリーダーにより、ＮＦＣタグを検出し、選択されたおもりを特定することができ、上記実施例と同様の処理が行われる。この場合には重さは自由なので、通話相手の写真といったより直感的な物を利用できる。
【００３５】
更に、上記実施例では、電子台はかり部におもりを載せることで、発呼を行うことにしている。しかし、それに加えて、電子台はかり部からおもりを降ろすことで、通話を切るようにしても良い。これは、実施例３で説明したスマートフォンや応用する場合に、特に有効である。すなわち、おもりが降ろされたことを検知して、無線または有線でスマートフォンのソフトウェアへ通信終了の指示を送信する。
【産業上の利用可能性】
【００３６】
本発明に係わる電話機を用いれば、高齢者や視覚障害者といった通常の電話機では利用に困難を感じる利用者でも、誤発信をすることなく、直感的に電話をかけることができ、より効果的なユニバーサルデザインの電話機が実現する。
【符号の説明】
【００３７】
１０ 電話機
１１ 電話機本体
１３ 電子台はかり部
１３ｂ 電子台はかり部本体
１３ｗ 荷重台
１５ ケーブル
１７ 受話器
２０ 電話機
２１ 電話機本体
２３ 電子台はかり部
２３ｗ 荷重台
２７ 受話器
３０ 電話機
３１、４１ スマートフォン
３３ｗ、４３ｗ 荷重台
Ａ〜Ｃ おもり
【図１】
2016219924.tif 000003
【図２】
2016219924.tif 000004
【図３】
2016219924.tif 000005
【図４】
2016219924.tif 000006